(57)【要約】【課題】構成部品の数が少なく、簡単に組み立てができるとともに、横桟と縦桟とをその交差部でずれることなく止着できる格子体の組立構造を提供する。【解決手段】横桟１と縦桟２とからなる格子体の組立構造であって、上記横桟１は相対向する内側筒状横桟１１と外側筒状横桟１２とを高さ方向略中央部で相対向する上フランジ１３１と下フランジ１３２とで結合してなり、上記縦桟２は断面略Ｃ字型の内側縦桟２１と外側縦桟２２とが対として用いられ、上記横桟１と縦桟２との交差部にはそれぞれ切欠部を設けて切り欠き嵌合するとともに、上記内側縦桟２１と外側縦桟２２とに装着された一対の係合体３１、３２が該係合体３１、３２に突設された係合子４１、４２を相互に逆方向となるように、上記上フランジ１３１と下フランジ１３２との間のスリット１４を挿通させ、それぞれ外側筒状横桟１２と内側筒状横桟１１とを抱持する格子体の組立構造。【選択図】図６
2009030287.tif 000002
【特許請求の範囲】
【請求項１】
横桟と縦桟とからなる格子体の組立構造であって、上記横桟は相対向する内側筒状横桟と外側筒状横桟とを高さ方向略中央部で相対向する上フランジと下フランジとで結合してなり、上記縦桟は断面略Ｃ字型の内側縦桟と外側縦桟とが対として用いられ、上記横桟と縦桟との交差部にはそれぞれ切欠部を設けて切り欠き嵌合するとともに、上記内側縦桟と外側縦桟とに装着された一対の係合体が該係合体に突設された係合子を相互に逆方向となるように、上記上フランジと下フランジとの間のスリットを挿通させ、それぞれ外側筒状横桟と内側筒状横桟とを抱持する格子体の組立構造。
【請求項２】
上記断面略Ｃ字型の内側縦桟内と外側縦桟内とには相対向するリブが縦方向に立設されるとともに、該リブが上記係合体を保持する請求項１に記載の格子体の組立構造。
【請求項３】
上記係合体と係合子とが弾性を有する合成樹脂から一体成形されるとともに、上記係合子が係合体の略中央部から水平方向に偏って設けられ、一対の係合子が相互に行き違うように取付けられた請求項１に記載の格子体の組立構造。
【発明の詳細な説明】
【技術分野】
【０００１】
本発明は、格子体の構造に関する。さらに詳しくは、縦桟と横桟とからなる格子体の組立構造に関する。
【背景技術】
【０００２】
従来、縦桟と横桟とからなる格子体の構造に関しては、種々の技術が提案されている。例えば、下記特許文献１には、犬等のペットサークルやＬＰガスボンベ防護柵等の柵状体やその他の格子体を構成するための格子体組立セットが提案されている。
【０００３】
すなわち、複数本の縦格子材と、横長の帯状板の一側面に該帯状板の長さ方向に所定間隔を隔てて縦格子材を止着させる複数個の止着材を設けてなる適数本の横格子材とを備える一方、前記止着材は、弾性力を有する左右一対の抱持片を有し、かつ、該抱持片間の凹入部内に縦格子材を弾性的に挟圧保持し得るように構成するとともに、縦格子材と横格子材との組み付けは、縦格子材を止着材の各抱持片間に嵌入させるだけで行えるようにした格子体組立セットが開示されている。
【特許文献１】登実登第３０１１４２５号公報（第２４〜２５頁、第１図、第２図、第３図）
【発明の開示】
【発明が解決しようとする課題】
【０００４】
しかしながら、上記特許文献１にかかる格子体組立セットは、その第１図、第２図、第３図に示されているように、多数の部品からなり、組み立て作業を容易に行えないという問題がある。本発明は、このような問題を解決して、構成部品の数が少なく、簡単に組み立てができるとともに、横桟と縦桟とをその交差部でずれることなく止着できる格子体の組立構造を提供することを、その課題とする。
【課題を解決するための手段】
【０００５】
上記課題を解決するために、本発明においては、つぎのような技術的手段を講じている。すなわち、請求項１に記載の発明によれば、横桟と縦桟とからなる格子体の組立構造であって、上記横桟は相対向する内側筒状横桟と外側筒状横桟とを長さ方向略中央部で相対向する上フランジと下フランジとで結合してなり、上記縦桟は断面略Ｃ字型の内側縦桟と外側縦桟とが対として用いられ、上記横桟と縦桟との交差部にはそれぞれ切欠部を設けて切り欠き嵌合するとともに、上記内側縦桟と外側縦桟とに装着された一対の係合体が該係合体に突設された係合子を相互に逆方向となるように、上記上フランジと下フランジとの間のスリットを挿通させ、それぞれ外側筒状横桟と内側筒状横桟とを抱持する格子体の組立構造が提供される。
【０００６】
上記横桟と縦桟の材質としてはとくに、限定されるものではないが、アルミニウム製のものが好ましく用いられる。
【０００７】
請求項２に記載の格子体の組立構造は、請求項１に記載の発明に加えて、上記断面略Ｃ字型の内側縦桟内と外側縦桟内とには相対向するリブが縦方向に立設されるとともに、該リブによって上記係合体が保持される。
【０００８】
請求項３に記載の格子体の組立構造は、請求項１に記載の発明に加えて、上記係合体と係合子とが弾性を有する合成樹脂から一体成形されるとともに、上記係合子が係合体の略中央部から水平方向に偏って設けられ、一対の係合子が相互に行き違うように取付けられる。
【発明の効果】
【０００９】
請求項１に記載の発明にかかる格子体の組立構造は上記のとおりであり、横桟と縦桟とからなる格子体の組立構造であって、相対向する内側筒状横桟と外側筒状横桟とを高さ方向略中央部で相対向する上フランジと下フランジとで結合してなる横桟と、断面略Ｃ字型の内側縦桟と外側縦桟とが対として用いられる縦桟との交差部にはそれぞれ切欠部を設けて切り欠き嵌合されているため、固定用ネジ等の固定手段を用いることなく、切り欠き嵌合によって交差部がずれることなく、しっかりと組み立てることができる。
【００１０】
また、上記内側縦桟と外側縦桟とに装着された一対の係合体が該係合体に突設された係合子を相互に逆方向となるように、上記上フランジと下フランジとの間のスリットを挿通させているため、内側縦桟に装着された係合体の係合子は外側筒状横桟と、外側縦桟に装着された係合体の係合子は内側筒状横桟と、それぞれ外から見えることなく係合、抱持し、体裁よく止着することができる。
【００１１】
請求項２に記載の格子体の組立構造は上記のとおりであり、請求項１の格子体の組立構造の有する効果に加え、上記断面略Ｃ字型の内側縦桟内と外側縦桟内とには相対向するリブが縦方向に立設されるため、このリブが内側縦桟を補強するとともに、内側縦桟に装着される係合体をしっかりと保持し、また外側縦桟を補強するとともに、外側縦桟に装着される係合体をしっかりと保持する。
【００１２】
請求項３に記載の格子体の組立構造は上記のとおりであり、請求項１の格子体の組立構造の有する効果に加え、上記係合体と係合子とが弾性を有する合成樹脂から一体成形されるとともに、上記係合子が係合体の略中央部から水平方向に偏って設けられ、一対の係合子が相互に行き違うように取付けられているため、スリット内で突き当たることなく挿通し、縦桟と横桟とをその交差部でしっかりと弾性的に抱持することができる。
【発明を実施するための最良の形態】
【００１３】
以下、本発明について図面を参照して詳細に説明する。図１は、本発明の格子体の組立構造にかかる横桟を示す部分断面斜視図である。図１に示されているように、上記横桟１は側断面略Ｈ字型とされ、相対向する内側筒状横桟１１と外側筒状横桟１２とを上フランジ１３１と下フランジ１３２とからなるダブルフランジ１３によって連結して構成されている。また、上記上フランジ１３１と下フランジ１３２との間にはスリット１４が形成されている。このように構成された横桟１の内側筒状横桟１１と外側筒状横桟１２とには、それぞれ、後記する縦桟が嵌入するための横切欠部１１１と１２１とが設けられている。
【００１４】
図２は、上記横桟１を抱持するように止着する縦桟２を示す部分断面斜視図である。上記縦桟２は、内側縦桟２１と外側縦桟２２とが対として用いられ、その断面はそれぞれ、略Ｃ型とされている。上記内側縦桟２１には、上記内側筒状横桟１１の横切欠部１１１と交差する位置に縦切欠部２１１が設けられ、上記外側縦桟２２には、上記外側筒状横桟１２の横切欠部１２１と交差する位置に縦切欠部２２１が設けられている。
【００１５】
また、上記内側縦桟２１内には、相対向するリブ２１２が縦方向に立設され、このリブ２１２が縦切欠部２１１の底面を構成するとともに、後記する内側係合体３１を保持する保持片として機能する。同様に、外側縦桟２２内には、相対向するリブ２２２が縦方向に立設され、このリブ２２２が縦切欠部２２１の底面を構成するとともに、後記する外側係合体３２を保持する保持片として機能する。
【００１６】
図３は、互いに嵌合する横切欠部１１１と縦切欠部２１１および横切欠部１２１と縦切欠部２２１とを上記スリット１４を挿通して係合する内側係合体３１と外側係合体３２とを示す斜視図である。図３に示すように、内側係合体３１には中心から水平方向に偏って係合子４１が突設され、係合子４１の先端は係合爪４１１とされている。同様に外側係合体３２には中心から水平方向に偏って係合子４２が突設され、係合子４２の先端は係合爪４２１とされている。
【００１７】
図４は、上記内側縦桟２１に内側係合体３１を装着し、この内側係合体３１をリブ２１２で保持した状態を示す部分断面斜視図である。図４に示されているように、内側係合体３１の中心から偏って突設された係合子４１は内側縦桟２１の縦切欠部２１１から突出している。
【００１８】
図５は、上記外側縦桟２２に外側係合体３２を装着し、この外側係合体３２をリブ２２２で保持した状態を示す部分断面斜視図である。図５に示されているように、外側係合体３２の中心から水平方向に偏って突設された係合子４２は外側縦桟２２の縦切欠部２２１から突出している。図４、図５に示されているように、内側係合体３１の係合子４１と外側係合体３２の係合子４２とは、それぞれ中心から水平方向に偏って突設されているため、突き合うことなくスリット１４を相互の逆方向に挿通することができる。
【００１９】
図６は、上記のように構成し、外側係合体３２から突出した係合子４２が上記スリット１４を挿通し、係合爪４２１が内側筒状横桟１１を切り欠いて設けられた横切欠部１１１に係止した状態を示す部分断面斜視図である。また、図４に示す内側係合体３１から突出した係合子４１も、図６に示す場合と同様に、その係合爪４１１を上記スリット１４を挿通し、係合爪４１１が外側筒状横桟１２を切り欠いて設けられた横切欠部１２１に係止するが、図示は省略する。このとき、係合爪４１１、４２１は、弾性を有する合成樹脂から係合子４１、４２と一体的に形成されているため、相互に横桟１の内側筒状横桟１１と外側筒状横桟１２とを弾性的に抱持することができる。
【００２０】
図７は、上記のようにして、縦桟２を構成する内側縦桟２１と外側縦桟２２とが横桟１を弾性的に抱持した状態を示す部分断面斜視図である。図７に示されているように、内側筒状横桟１１に設けられた横切欠部１１１と内側縦桟２１に設けられた縦切欠部２１１とが嵌合し、外側筒状横桟１２に設けられた横切欠部１２１と外側縦桟２２に設けられた縦切欠部２２１とが嵌合し、このようにして、横桟１と縦桟２とが交差部で切り欠き嵌合するため、固定用ネジ等を使用することなく、横桟１と縦桟２とをしっかりと結合し、組み立てることができる。
【００２１】
図８は、本発明にかかる格子体の組立構造を用いて組み立てられた格子戸Ａを示す正面図である。横桟１と縦桟２とは、固定用ネジ等の固定手段を用いることなく、切り欠き嵌合によって交差部がずれることなく、しっかりと組み立てられる。上記実施形態は本発明にかかる格子体の組立構造を格子戸Ａに適用した場合について述べたが、格子戸Ａのみならず、ペットサークル等に適用することも可能である。このように、本発明を実施することにより、構成部品の数が少なく、簡単に組み立てができる格子体を提供することができる。
【図面の簡単な説明】
【００２２】
【図１】本発明の格子体の組立構造にかかる横桟を示す部分断面斜視図である。
【図２】本発明の格子体の組立構造にかかる縦桟を示す部分断面斜視図である。
【図３】本発明の格子体の組立構造にかかる内側係合体と外側係合体とを示す斜視図である。
【図４】本発明の格子体の組立構造にかかる内側係合体を内側縦桟に装着した状態を示す部分断面斜視図である。
【図５】本発明の格子体の組立構造にかかる外側係合体を外側縦桟に装着した状態を示す部分断面斜視図である。
【図６】上記外側係合体から突出し、スリットを挿通した係合子が内側筒状横桟に設けられた横切欠部に係止した状態を示す部分断面斜視図である。
【図７】上記縦桟を構成する内側縦桟と外側縦桟とが切り欠き嵌合して横桟を抱持した状態を示す部分断面斜視図である。
【図８】本発明にかかる格子体の組立構造を用いて組み立てられた格子戸を示す正面図である。
【符号の説明】
【００２３】
Ａ          本発明にかかる格子戸
１          横桟
１１        内側筒状横桟
１１１      横切欠部
１２        外側筒状横桟
１２１      横切欠部
１３        ダブルフランジ
１３１      上フランジ
１３２      下フランジ
１４        スリット
２          縦桟
２１        内側縦桟
２１１      縦切欠部
２１２      リブ
２２        外側縦桟
２２１      縦切欠部
２２２      リブ
３１        内側係合体
３２        外側係合体
４１        係合子
４１１      係合爪
４２        係合子
４２１      係合爪
【図１】
2009030287.tif 000003
【図２】
2009030287.tif 000004
【図３】
2009030287.tif 000005
【図４】
2009030287.tif 000006
【図５】
2009030287.tif 000007
【図６】
2009030287.tif 000008
【図７】
2009030287.tif 000009
【図８】
2009030287.tif 000010